(57)【要約】【課題】コンロバーナによる加熱の停止やコンロバーナの火力の低減などを行うことを必要とせずに、手動操作部（操作手段）の温度上昇を抑制することが可能で、使い勝手の良好なガスコンロを提供する。【解決手段】ガスコンロ本体２０と、ガスコンロ本体の上面を覆う天板１２と、炎孔１１を天板の上方に備えるコンロバーナ１０と、天板上に配設され使用者の手指により操作される操作部３０とを備えたガスコンロＡにおいて、平面視で操作部の周囲を囲繞する枠体４０を備え、枠体が、天板に設けた装着孔１５に嵌入される態様で天板に装着され、枠体の外周面４０ａと装着孔の内周面１５ａとの間には、間隙Ｇが設けられている構成とする。  また、操作部の天板上への配設位置が、コンロバーナの炎孔の天板上への配設位置よりも前方にあり、かつ、枠体が、その上端部が枠体の後方から前方に向かって下り勾配となる傾斜を有する態様で天板に装着されている構成とする。【選択図】図７
2020026941.tif 000002
【特許請求の範囲】
【請求項１】
ガスコンロ本体と、
前記ガスコンロ本体の上面を覆う天板と、
燃料ガスを燃焼させて火炎を生じさせる炎孔を前記天板の上方に備えるコンロバーナと、
前記天板上に配設され、使用者の手指により操作される操作部とを備えたガスコンロであって、
平面視において前記操作部の周囲を囲繞する枠体を備え、
前記枠体が、前記天板に設けた装着孔に嵌入される態様で、前記天板に装着され、
前記枠体の外周面と、前記装着孔の内周面との間には、間隙が設けられていること
を特徴とするガスコンロ。
【請求項２】
前記操作部の前記天板上への配設位置が、前記コンロバーナの前記炎孔の前記天板上への配設位置よりも前方にあり、かつ、
前記枠体が、その上端部が前記枠体の後方から前方に向かって下り勾配となる傾斜を有する態様で、前記天板に装着されていること
を特徴とする請求項１記載のガスコンロ。
【発明の詳細な説明】
【技術分野】
【０００１】
本発明は、ガスコンロに関し、詳しくは、コンロバーナの点火、消火、火力調整などを行うための操作部（手動操作部）を天板上に備えたガスコンロに関する。
【背景技術】
【０００２】
ガスコンロの中には、例えば、コンロバーナの点火、消火、火力調整などを行うための操作部（手動操作部）を天板上に備えたガスコンロがある。
【０００３】
そのようなガスコンロとして、特許文献１には、手動操作部（操作手段）の温度を検知して、その温度の情報を制御手段（加熱制御手段）に伝達する温度検知手段を備え、手動操作部（操作手段）の温度が上昇した場合に、コンロバーナ（加熱手段）による加熱を行われないようにしたガスコンロ（ガス調理装置）が開示されている。
【０００４】
特許文献１のガスコンロは，上述のように構成され、ガスコンロ上面に手動操作部を配置して操作性の向上を図るようにしたガスコンロにおいて、コンロバーナの熱的影響を受けやすい手動操作部の温度が上昇した場合に、加熱手段の加熱動作を停止させるようにしているので、高温の手動操作部に使用者が不用意に触れてしまうという不都合を回避することが可能で、安全性を向上させることができ、有意義である。
【先行技術文献】
【特許文献】
【０００５】
【特許文献１】特開２００６−３１７０６６号公報
【発明の概要】
【発明が解決しようとする課題】
【０００６】
しかしながら、特許文献１に記載されたガスコンロの場合、手動操作部（操作手段）の温度が上昇した場合に、コンロバーナ（加熱手段）による加熱が行われないように構成されていることから、使用者が所定の時間までに調理を終えたいと意図しているような場合にも、調理を続行することができなくなる事態が発生するおそれがあり、改善の余地があるのが実情である。
【０００７】
本発明は、上記の課題を解決するものであり、コンロバーナによる加熱の停止やコンロバーナの火力の低減などを行うことを必要とせずに、手動操作部（操作手段）の温度上昇を抑制することが可能で、使い勝手の良好なガスコンロを提供することを目的とする。
【課題を解決するための手段】
【０００８】
上記の目的を達成するために、本発明のガスコンロは、
ガスコンロ本体と、
前記ガスコンロ本体の上面を覆う天板と、
燃料ガスを燃焼させて火炎を生じさせる炎孔を前記天板の上方に備えるコンロバーナと、
前記天板上に配設され、使用者の手指により操作される操作部とを備えたガスコンロであって、
平面視において前記操作部の周囲を囲繞する枠体を備え、
前記枠体が、前記天板に設けた装着孔に嵌入される態様で、前記天板に装着され、
前記枠体の外周面と前記装着孔の内周面との間には、間隙が設けられていること
を特徴としている。
【０００９】
本発明のガスコンロにおいては、
前記操作部の前記天板上への配設位置が、前記コンロバーナの前記炎孔の前記天板上への配設位置よりも前方にあり、かつ、
前記枠体が、その上端部が前記枠体の後方から前方に向かって下り勾配となる傾斜を有する態様で、前記天板に装着されていること
が好ましい。
【発明の効果】
【００１０】
本発明のガスコンロは、ガスコンロ本体と、ガスコンロ本体の上面を覆う天板と、燃料ガスを燃焼させて火炎を生じさせる炎孔を天板の上方に備えるコンロバーナと、天板上に配設され、使用者の手指により操作される操作部とを備えたガスコンロであって、操作部の周囲を囲繞する枠体を備え、枠体が天板に設けた装着孔に嵌入される態様で天板に装着され、かつ、枠体の外周面と装着孔の内周面との間には、間隙が設けられた構成を有しているので、コンロバーナによって加熱された天板からの熱が操作部に伝わることを抑制することが可能になる。
【００１１】
その結果、コンロバーナの火力を減少させたり、コンロバーナによる加熱を停止したりすることを必要とせずに、操作部の温度上昇を抑制することが可能で、使い勝手の良好なガスコンロを実現することができる。
【００１２】
また、操作部の天板上への配設位置が、コンロバーナの炎孔の天板上への配設位置よりも前方にあり、かつ、枠体が、その上端部が後方から前方に向かって下り勾配となる傾斜を有する態様で天板に装着されている場合、炎孔に生じた火炎からの輻射熱により操作部が加熱されることを抑制することが可能になり、操作部の温度上昇が一層抑制されたガスコンロを実現することができる。
【図面の簡単な説明】
【００１３】
【図１Ａ】本発明の一実施形態にかかるガスコンロを示す平面図である。
【図１Ｂ】本発明の一実施形態にかかるガスコンロを示す正面図である。
【図２】本発明の一実施形態にかかるガスコンロの、コンロバーナ、五徳、および排気カバーを省略した状態の平面図である。
【図３】図２における天板付近のIII-III線断面図である。
【図４】図３におけるＢ部の拡大図である。
【図５】本発明の別実施形態にかかるガスコンロの、コンロバーナ、１つの五徳以外の他の五徳、および排気カバーを省略した状態を示す図であって、（ａ）は要部平面図、（ｂ）は要部正面図である。
【図６】図５における、天板付近のVI-VI線断面図である。
【図７】図６におけるＣ部の拡大図である。
【発明を実施するための形態】
【００１４】
［実施形態］
以下、本発明の実施形態を示して、その特徴とするところをさらに詳しく説明する。
【００１５】
本発明の一実施形態にかかるガスコンロＡ（図１参照）は、キッチンカウンタに設けた設置用開口に落とし込んで取り付けられる、いわゆるドッロプイン方式に構成されたガスコンロである。
【００１６】
以下、図１〜図７を参照して、本実施形態にかかるガスコンロＡの構成について説明する。
【００１７】
本実施形態にかかるガスコンロＡは、図１に示すように、コンロ本体２０と、コンロ本体２０の上面の開口を覆う天板１２とを備えている。
【００１８】
また、ガスコンロＡは、図１に示すように、３つのコンロバーナ１０（１０ａ、１０ｂ、１０ｃ）を備えている。３つのコンロバーナ１０はいずれもブンゼン式のガスバーナであり、２つのコンロバーナ１０ａ、１０ｂは、天板１２の前方側の左右に配設され、残りの１つのコンロバーナ１０ｃは、天板１２の後方に配設されている。なお、ガスコンロＡを構成する各コンロバーナ１０（１０ａ、１０ｂ、１０ｃ）は、それぞれ天板１２から上方に炎孔１１（詳しくは炎孔１１を備えたバーナヘッド）が露出するような態様で配設されている。
【００１９】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２０】
さらに、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出することができるように構成されている。
【００２１】
また、ガスコンロＡは、コンロ本体２０の内部にグリル５０を備えており、天板１２の後方側（奥側）（使用者に近い側が前方側、その逆側が後方側（奥側）となる）には、グリル調理の排気を排出するための排気孔２１が設けられており、排気孔２１上には排気カバー２１ａが配設されている。
【００２２】
また、天板１２の前方側（手前側）で、左右方向の中央には、使用者が手指によって三つのコンロバーナ１０（１０ａ、１０ｂ、１０ｃ）の点火や消火、火力調整などの操作を行う操作部３０が配置されている。なお、操作部３０には、特に図示しないが、点火や消火、火力調整のための操作ボタンが配設されている。なお、操作部３０は操作ボタンを備えた構成のものに限られるものではなく、例えば、回転式の操作つまみを備えている構成とすることも可能である。
【００２３】
また、本実施形態にかかるガスコンロＡは、平面視において操作部３０の周囲を囲繞する枠体４０を備えている（図２、図３、図４参照）。
【００２４】
この枠体４０は、天板１２に設けた装着孔１５に嵌入される態様で、天板１２に装着されている。
【００２５】
そして、天板１２の装着孔１５に嵌入、装着された枠体４０の外周面４０ａと、装着孔１５の内周面１５ａとの間には、所定の大きさの間隙Ｇが設けられている（図４参照）。
【００２６】
なお、枠体４０の外周面４０ａと、装着孔１５の内周面１５ａとの間に存在する間隙Ｇの寸法は、通常、０．５〜１．５ｍｍの範囲とすることが好ましく、本実施形態では、間隙Ｇの寸法が約１ｍｍとされている。
【００２７】
この実施形態のガスコンロは、上述のように、枠体４０の外周面４０ａと、天板１２に設けた装着孔１５の内周面１５ａの間に間隙Ｇ（図４参照）を存するように構成されているので、コンロバーナ１０によって加熱された天板１２からの熱が操作部３０に伝わることが抑制され、コンロバーナ１０の火力の減少や加熱の停止などを行うことを必要とせずに、操作部３０の温度上昇を抑制することが可能になる。
【００２８】
その結果、調理の途中でコンロバーナ１０の燃焼を停止したり、火力を減少させたりして、操作部３０の温度上昇を抑制する必要がなく、使い勝手の良好なガスコンロを提供することが可能になる。
【００２９】
＜別実施形態＞
図５、図６、図７は、本発明の別実施形態にかかるガスコンロＡ１の要部を示す図である。
【００３０】
この別実施形態のガスコンロＡ１においては、図５、図６、図７に示すように、操作部３０の天板１２上への配設位置が、コンロバーナ１０の炎孔１１の天板１２上への配設位置よりも前方に位置するように構成されているとともに、枠体４０の上端部４０ｂ（図７）が、後方から前方に向かって下り勾配となる傾斜を有する態様で、天板１２に装着されている。
【００３１】
また、上述の実施形態の場合と同様に、装着された枠体４０の外周面４０ａと、装着孔１５の内周面１５ａとの間には間隙Ｇが設けられている（図７参照）。
【００３２】
この別実施形態のガスコンロＡ１のように、枠体４０が、その上端部４０ｂが枠体４０の後方から前方に向かって下り勾配となる傾斜を有する態様で、天板１２に装着されているので、天板１２の上方に位置する炎孔１１に生じた火炎から操作部３０への熱の輻射が、枠体４０の周壁部４０ｃ（特に背の高い後方側の周壁部４０ｃ１）（図７参照）により遮られるため、操作部３０が加熱されることを効果的に抑制することが可能になる。
【００３３】
すなわち、この別実施形態にかかるガスコンロＡ１においては、図７に示すように、装着された枠体４０の外周面４０ａと、装着孔１５の内周面１５ａとの間に間隙Ｇが設けられているとともに、枠体４０が、その上端部４０ｂが枠体４０の後方から前方に向かって下り勾配となる傾斜を有する態様で、天板１２に装着されているので、操作部３０が天板１２からの伝熱、および、炎孔１１に生じた火炎からの輻射熱により加熱されることを抑制、防止することが可能になり、操作部３０の温度上昇を一層効果的に抑制することが可能な使い勝手の良好なガスコンロを提供することができる。
【００３４】
本発明は、上記実施形態に限定されるものではなく、本発明の範囲内において種々の変形を加えることが可能である。
【符号の説明】
【００３５】
Ａ、Ａ１    ガスコンロ
１０（１０ａ、１０ｂ、１０ｃ）    コンロバーナ
１１        炎孔
１２        天板
１３        五徳
１４        温度センサ
１５        装着孔
１５ａ      装着孔の内周面
２０        コンロ本体
２１        排気孔
２１ａ      排気カバー
３０        操作部
４０        枠体
４０ａ      枠体の外周面
４０ｂ      枠体の上端部
４０ｃ      枠体の周壁部
４０ｃ１    枠体の後方側の周壁部
５０        グリル
Ａ          ガスコンロ
Ｇ          枠体の外周面と装着孔の内周面との間の間隙
【図１Ａ】
2020026941.tif 000003
【図１Ｂ】
2020026941.tif 000004
【図２】
2020026941.tif 000005
【図３】
2020026941.tif 000006
【図４】
2020026941.tif 000007
【図５】
2020026941.tif 000008
【図６】
2020026941.tif 000009
【図７】
2020026941.tif 000010